(57)【要約】【課題】汎用プリンタを用いて伝票類と必要書類に同時印刷できるようにし、しかもコンパクトな設計にして材料費を抑えるとともに印刷効率を向上させること。【解決手段】上質紙からなる上紙２０と台紙３０を使用し、上紙２０裏面の縁部に沿って塗布した粘着剤２１と台紙３０表面の縁部に沿って塗布した剥離剤３１によって上紙２０と台紙３０を擬似接着した貼付票２と、貼付票２に隣接して上紙２０から切り離し可能なミシン目２３で囲まれた伝票部３と、貼付票２に隣接して台紙３０から切り離し可能なミシン目３３で囲まれた帳票部４とを備えた配送伝票１とする。【選択図】図４
0003112423.tif 000002
【実用新案登録請求の範囲】
【請求項１】
レーザービームプリンタ又はインクジェットプリンタで印刷可能な用紙からなる上紙と台紙で構成され、
上記上紙の縁部に沿って塗布された粘着剤と、これに対向する上記台紙の縁部に沿って塗布された剥離剤とにより上記上紙と上記台紙が剥離可能に擬似接着された貼付票と、
上記貼付票に隣接して上記上紙から切り離し可能なミシン目で囲まれた伝票部と、
上記貼付票に隣接して上記台紙から切り離し可能なミシン目で囲まれた帳票部と、を備えたことを特徴とする配送伝票。
【請求項２】
レーザービームプリンタ又はインクジェットプリンタで印刷可能な用紙からなる上紙と台紙で構成され、
上記上紙の縁部に沿って塗布された粘着剤と、これに対向する上記台紙の縁部に沿って塗布された剥離剤とにより上記上紙と上記台紙が剥離可能に擬似接着された貼付票と、
上記貼付票に隣接して上記上紙から切り離し可能なミシン目で囲まれた伝票部と、
上記貼付票に隣接して上記台紙から切り離し可能なミシン目で囲まれた帳票部と、を備え、
上記伝票部裏面と上記帳票部表面との間に糊塗工が施されていないことを特徴とする配送伝票。
【請求項３】
レーザービームプリンタ又はインクジェットプリンタで印刷可能な用紙からなる上紙と台紙で構成され、
上記上紙の縁部に沿って塗布された粘着剤と、これに対向する上記台紙の縁部に沿って塗布された剥離剤とにより上記上紙と上記台紙が剥離可能に擬似接着された貼付票と、
上記貼付票に隣接して上記上紙から切り離し可能なミシン目で囲まれた伝票部と、
上記貼付票に隣接して上記台紙から切り離し可能なミシン目で囲まれた帳票部と、を備え、
上記伝票部裏面と上記帳票部表面との間に弱接着加工が施されていることを特徴とする配送伝票。
【請求項４】
レーザービームプリンタ又はインクジェットプリンタで印刷可能な用紙からなる上紙と台紙で構成され、
上記上紙の縁部に沿って塗布された粘着剤と、これに対向する上記台紙の縁部に沿って塗布された剥離剤とにより上記上紙と上記台紙が剥離可能に擬似接着された貼付票と、
上記貼付票に隣接して上記上紙から切り離し可能なスリットで囲まれた伝票部と、
上記貼付票に隣接して上記台紙から切り離し可能なスリットで囲まれた帳票部と、を備え、
上記伝票部裏面と上記帳票部表面との間に弱接着加工が施されていることを特徴とする配送伝票。
【考案の詳細な説明】
【技術分野】
【０００１】
本考案は、通信販売業界、百貨店業界又は運輸業界における配送業務で使用される配送伝票に関する。
【背景技術】
【０００２】
従来、例えば通信販売において販売業者が商品を配送する際には、商品を梱包したケースに配送伝票を貼り付けて商品の流れを管理している。また、商品と一緒に利用明細書や納品書等の必要書類を送る場合、パックスリップと呼ばれる特殊な隠蔽封筒に必要書類を入れ、この封筒をケースの外側に貼り付けるかあるいはケース内に同封し、配達業者に商品の配達を依頼する。そして、配達業者は配送伝票に従って商品を配達し終えると、配送伝票から受領票を切り離して受取人の捺印かサインをもらい、その受領票を配達店に持ち帰るようにしている。
【０００３】
ところで、配送伝票と必要書類には、配送元や配送先、あるいは商品名や購入金額等のように共通して印刷すべき情報が多く含まれている。このため、印刷効率やデータマッチングの観点から、伝票類と必要書類に同時印刷できると都合が良い。また、配送時の諸経費を負担する販売業者にとって、配送伝票と必要書類と隠蔽封筒という三つの媒体を用意するよりも、必要書類を隠蔽できるようにした配送伝票を製造する方が経費を削減できるので望ましい。さらに、材料費や印刷時の処理速度を考えると、配送伝票のサイズはなるべくコンパクトなものが求められている。
【０００４】
一方、こうした背景から、近年では伝票類と必要書類を一体化した配送伝票も提案されている（例えば下記の特許文献１参照）。
【０００５】
【特許文献１】特開２００４−９８５０３号公報
【０００６】
この配送伝票はサーマル紙の裏面に部分的に剥離剤が塗布され、その上に接着剤を介してタック基材、粘着剤、剥離紙からなるタック紙を貼り合わせて構成されている。配送伝票の表面（サーマル紙の表面）にはサーマルプリンタで印字でき、配送伝票の裏面（剥離紙の裏面）にはインクジェットプリンタ等での印字が可能である。また、サーマル紙に剥離剤を塗布した部分が配達票、サーマル紙のそれ以外の部分が貼付票、そして裏面の剥離紙が売上票になっている。
【０００７】
しかし、上記の配送伝票は表裏面に同時印刷が可能であるとはいえ、表面の配達票と貼付票にはサーマルプリンタで印字し、裏面の売上票にはインクジェットプリンタ等で印字しなければならないので、汎用されているプリンタ単体では印刷できず、特殊な印刷設備が必要になるという欠点がある。また、配送伝票にしても、サーマル紙に高価なタック紙を貼り合わせる構成であるため、その分材料費が嵩み、大量に製造すると大幅なコストアップを招くという問題もある。さらに、使用時には剥離紙を剥がして貼り付けるものであるから、剥離紙に印字された売上票を配達票や貼付票と一緒に貼り付けることは不可能であり、売上票を隠蔽して配送するための媒体を別途用意しなければならない。
【考案の開示】
【考案が解決しようとする課題】
【０００８】
本考案は上記のような問題を解決するためになされたものであり、その目的とするところは、汎用プリンタを用いて伝票類と必要書類に同時印刷できるようにし、かつ、コンパクトな設計にして材料費を抑えるとともに印刷効率を向上させた配送伝票を提供することにある。
【課題を解決するための手段】
【０００９】
本考案に係る配送伝票は、上記の目的を達成するため、レーザービームプリンタ又はインクジェットプリンタで印刷可能な用紙からなる上紙と台紙で構成され、上記上紙の縁部に沿って塗布された粘着剤と、これに対向する上記台紙の縁部に沿って塗布された剥離剤とにより上記上紙と上記台紙が剥離可能に擬似接着された貼付票と、上記貼付票に隣接して上記上紙から切り離し可能なミシン目で囲まれた伝票部と、上記貼付票に隣接して上記台紙から切り離し可能なミシン目で囲まれた帳票部と、を備えたことを特徴とする。
【００１０】
ノンインパクトプリンタの種類には、レーザービームプリンタとインクジェットプリンタ以外にもサーマルプリンタや磁気プリンタ等があるが、本考案では用紙にサーマル層や磁気層のような特殊加工を施す必要があるプリンタは対象外としている。本考案で対象となるレーザービームプリンタ又はインクジェットプリンタで印刷可能な用紙としては、上質紙、普通紙、再生紙等が挙げられる。
【００１１】
本考案に係る配送伝票において、伝票部には領収票、入金票、受領票のように配送時に必要な情報を印字する伝票類が適用され、帳票部には利用明細書、納品書、振込用紙のように商品の配送と同時に受取人に伝達すべき必要書類が適用される。
【００１２】
本考案の一態様としては、上記伝票部裏面と上記帳票部表面との間に糊塗工が施されていない構成を採用することができ、この場合、上記伝票部の輪郭と上記帳票部の輪郭を共にミシン目とする。また、本考案の別態様としては、上記伝票部裏面と上記帳票部表面との間に弱接着加工が施されている構成を採用することもでき、この場合には、上記伝票部の輪郭と上記帳票部の輪郭を共にミシン目に替えてスリットにすることも可能である。
【考案の効果】
【００１３】
本考案に係る配送伝票によれば、伝票類とその他の必要書類を一体化したので、従来のように配送時に別途専用の隠蔽封筒を用意する必要がなく、配送コストを削減することができる。また、配送伝票の表裏面にはレーザービームプリンタやインクジェットプリンタ等の汎用プリンタで同時印刷が可能であるため、各書類に印字したデータのマッチングミスも防止できる。
【００１４】
さらには、配送伝票の表面に伝票類、裏面に必要書類を配置してスペースを有効に利用したコンパクトな設計になっており、帳票上に無駄なスペースがないため、材料費も少なくて済み、大量に製造すれば大幅なコストダウンを図ることができる。また、コンパクトなサイズゆえにプリンタによる処理速度も速くなり、印刷効率を格段に向上させることができる。
【考案を実施するための最良の形態】
【００１５】
本考案の実施例について、添付図面を参照しながら以下に説明する。
【実施例１】
【００１６】
図１〜４は本考案に係る配送伝票の第１の実施例を示すもので、図１は配送伝票の外観を示す平面図、図２は配送伝票における上紙と台紙の構成を示す平面図、図３は配送伝票の断面図、図４は配送伝票の使用方法を示す説明図である。
【００１７】
図１に示した配送伝票１は、通信販売業者や百貨店業者が配送業務で使用するものであり、伝票類と必要書類を一体化して配送できるようにしたものである。この配送伝票１は上質紙からなる上紙２０と台紙３０で構成され、台紙３０の上に上紙２０を重ねて貼り合わせることで、表裏面にレーザービームプリンタやインクジェットプリンタ等の汎用プリンタによる印字が可能になっている。本実施例では、図１（ア）に示すように表側の上紙２０に貼付票２と伝票部３（領収票、入金票、受領票）が設定され、同図（イ）に示すように裏側の台紙３０に帳票部４（利用明細書）が設定されている。
【００１８】
上紙２０には、その周縁三辺に沿って貼付票２が配置されており、貼付票２に隣接して切り離し可能なミシン目２３で囲まれた伝票部３が設けられている。上紙２０の裏面には、図２（ア）に示すように、貼付票２の領域に限定して粘着剤２１が塗布されているが、伝票部３の領域には粘着剤２１が塗布されていない。伝票部３はミシン目２３を介して領収票３−１、入金票３−２、及び受領票３−３の各伝票に区画されており、各伝票をつまみ易くするため、一角を切り落としたコーナーカット２５、２５、…が形成されている。
【００１９】
台紙３０にも、上紙２０と同様に周縁三辺に沿って貼付票２が配置されており、貼付票に隣接して切り離し可能なミシン目３３で囲まれた帳票部４が設けられている。図２（イ）に示すように、台紙３０の表面には貼付票２の領域に限定して剥離剤３１が塗布されているが、帳票部４の領域には剥離剤３１が塗布されていない。また、台紙３０の貼付票２は上紙２０から剥離される剥離片５になっている。
【００２０】
上記構成からなる台紙３０の上に上紙２０を重ねて貼り合わせると、両紙間の構造は次のようになる。図３（ア）に示す貼付票２の位置で切断すると、上紙２０裏面の粘着剤２１と台紙３０表面の剥離剤３１とが接触しており、その境界面Ｐを介して両紙が剥離可能に擬似接着されている。一方、図３（イ）に示す伝票部３と帳票部４の位置では、上紙２０裏面と台紙３０表面の両面に糊塗工が施されていないので、両紙が非接着の状態になっている。
【００２１】
以上が本実施例の配送伝票１の構成であるが、次に、この配送伝票１の使用方法を説明する。図４において、商品の注文を受けた販売業者は、配送伝票１の表面にある貼付票２と伝票部３に配送元や配送先、並びに商品名や購入金額等の所定事項を、また裏面にある帳票部４の利用明細書にも同様に所定事項をプリンタで印字する。配送伝票１は印刷用紙を使用した上紙２０と台紙３０で構成されており、表裏の印字面に段差がないので、レーザービームプリンタ等の汎用のプリンタで同時に印字することが可能であり、各書類に印字したデータのマッチングミスを防止できる。
【００２２】
また、この配送伝票１は表面に伝票類、裏面に必要書類を配置してスペースを有効活用したコンパクトな設計になっている。つまり、帳票上に無駄な余白スペースがないので材料費も少なくて済み、大量に製造することでコストを大幅に削減することができる。さらに、コンパクトなサイズにしたことによりプリンタでの処理速度も速くなり、印刷効率が格段に向上する。
【００２３】
こうして所定事項が印刷された配送伝票１は商品と共に配達業者に委託され、配達業者は、図４（ア）に示すようにして、まず配送伝票１から剥離片５を剥がし取る。配送伝票１の裏面にはミシン目３３が形成されているので、このミシン目３３を切断して剥離片５を剥がすと、図３（ア）で説明した通り、剥離剤３１と粘着剤２１との境界面Ｐを介して無理なく剥離される。
【００２４】
次に、図４（イ）に示すようにして商品梱包済みのケース５０に配送伝票１を貼り付ける。剥離片５を剥がして露出した粘着剤２１を介して貼り付けるが、配送伝票１の表面にある領収票３−１、入金票３−２、及び受領票３−３からなる伝票部３が表側に現れるので配達先等の情報を確認できる。一方、配送伝票１の裏面にある帳票部４は伝票部３の裏側に隠れた状態になっているので、配達時に利用明細等の情報を外部から盗み見ることはできない。
【００２５】
ここまでが配達前に行う作業であるが、配達時には、図４（ウ）に示すようにして領収票３−１、入金票３−２、及び受領票３−３を切り離す。コーナーカット２５、２５、…に指を掛けて端部をつまみ、ミシン目２３を切断すれば各伝票が分離される。図３（イ）で説明した通り、伝票部３の裏面には糊塗工が施されていないので、上紙２０から簡単に切り離すことが可能である。
【００２６】
配達業者は伝票部３を切り離した後、商品梱包済みのケース５０を受取人に手渡す。また、切り離した伝票のうち領収票３−１を受取人に控えとして渡し、受領票３−３に受取人の捺印又はサインをもらい、それを配達記録として入金票３−２と共に配達店に持ち帰る。
【００２７】
最後に、商品の受取人は、図４（エ）に示すようにして配送伝票１から帳票部４を切り離す。ケース５０に残った配送伝票１には、台紙３０上にミシン目３３が現れるので、このミシン目３３を切断するだけで帳票部４が切り離され、利用明細書を取り出すことができる。このときはじめて受取人が利用明細を確認できることから、極めて機密性が高い。また、最終的にケース５０に残るのは貼付票２の部分のみであるため、廃棄する部分が少なく、資源を無駄なく利用したものになっている。
【実施例２】
【００２８】
図５〜８は本考案に係る配送伝票の第２の実施例を示すもので、図５は配送伝票の外観を示す平面図、図６は配送伝票における上紙と台紙の構成を示す平面図、図７は配送伝票の断面図、図８は配送伝票の使用方法を示す説明図である。本実施例において、上述した実施例１と同様な構成については、同一符号を付与してその詳細な説明は省略する。
【００２９】
図示したように、本実施例の配送伝票１−１は、伝票部３と帳票部４との間に弱接着加工が施されている点が実施例１の配送伝票１と異なっている。すなわち、上紙２０の裏面には、図６（ア）に示す伝票部３の領域内において、領収票３−１、入金票３−２、及び受領票３−３の各伝票の周縁部に沿って剥離ニス２７が塗布されている。そして、これに対向する台紙３０の表面には、図６（イ）に示す帳票部４の領域内において、その周縁部に沿って接着剤３７が塗布されている。また、これに伴って、図５に示すように伝票部３の輪郭がミシン目でなく、上紙２０のみをカット加工したスリット２４になっており、帳票部４の輪郭も台紙３０のみをカット加工したスリット３４になっている。
【００３０】
このような構成からなる台紙３０の上に上紙２０を重ねて貼り合わせると、両紙間の構造は次のようになる。図７（ア）に示す貼付票２の位置では、実施例１と同様に、上紙２０裏面の粘着剤２１と台紙３０表面の剥離剤３１とが接触して、その境界面Ｐを介して両紙が剥離可能に擬似接着されている。一方、図７（イ）に示す伝票部３と帳票部４の位置で切断すると、実施例１と異なり、上紙２０裏面の剥離ニス２７と台紙３０表面の接着剤３７とが接触しており、その境界面Ｐ２を介して両紙が剥離可能に弱接着されている。
【００３１】
本実施例の配送伝票１−１の使用方法を説明すると、まず商品の注文を受けた販売業者は、配送伝票１−１の表面にある貼付票２と伝票部３、裏面にある帳票部４に所定事項をプリンタで印字する。ここでも汎用のプリンタを使用することができるが、本実施例では伝票部３と帳票部４とが弱接着されているので、上紙２０と台紙３０が擦れて印字位置がずれることがなく、印字ミス等のトラブルを確実に回避できる点で実施例１のものよりも有利である。
【００３２】
次いで、配達業者による配達作業に移るが、図８（ア）に示す剥離片５の剥がし取り作業と、同図（イ）に示す配送伝票１−１の貼り付け作業については実施例１のときと同じである。なお、本実施例では伝票部３と帳票部４とが弱接着されているので、領収票３−１、入金票３−２、及び受領票３−３の各伝票が配送途中で脱落することを防止できるという利点もある。
【００３３】
続いて配達時には、図８（ウ）に示すようにして領収票３−１、入金票３−２、及び受領票３−３を切り離す。伝票部３と帳票部４は、図７（イ）で説明した通り、剥離ニス２７と接着剤３７との境界面Ｐ２を介して剥離可能に弱接着されているので、コーナーカット２５、２５、…に指を掛けて端部をつまみ、スリット２４を引き裂くと各伝票が分離される。ここで、配達業者は商品梱包済みのケース５０を受取人に手渡すとともに、切り離した伝票のうち領収票３−１を受取人に控えとして渡し、受領票３−３に受取人の捺印又はサインをもらい、それを配達記録として入金票３−２と共に配達店に持ち帰る。
【００３４】
最後に、商品の受取人は、図８（エ）に示すようにして配送伝票１−１から帳票部４を切り離す。ケース５０に残った配送伝票１−１には、台紙３０上にスリット３４が現れるので、このスリット３４を引き裂くだけで帳票部４が切り離され、利用明細書を取り出すことができる。なお、本実施例でも、最終的にケース５０に残るのは貼付票２の部分のみであるので、廃棄する部分は少なく資源の無駄がない。
【００３５】
以上が本実施例の配送伝票の構成及び使用方法であるが、伝票部３と帳票部４との間の弱接着加工については、上記の例とは逆に、伝票部３の裏面に弱粘着剤３７を塗布し、帳票部４の表面に剥離ニス２７を塗布する構成でも構わない。また、伝票部３の裏面と帳票部４の表面のいずれか一方の面に、通常よりも接着力の弱い弱接着剤を塗布する構成を採用することもできる。
【００３６】
さらには、実施例１及び２に共通して、次のような変形例も考えられる。例えば、貼付票２は上紙２０と台紙３０の周縁三辺に沿って貼り合わされているが、周縁全部を取り囲むように貼り合わされていても良い。また、伝票部３の構成を領収票３−１、入金票３−２、及び受領票３−３の３連式にしたが、これに替えて領収票３−１と受領票３−３の２連式にしたり、あるいは帳票部４として利用明細書の替わりにその他の必要書類を適用したりすることも可能である。
【図面の簡単な説明】
【００３７】
【図１】実施例１の配送伝票の外観を示す図で、（ア）は配送伝票を表側から見た平面図、（イ）は配送伝票を裏側から見た平面図である。
【図２】図１の配送伝票について、（ア）は上紙を裏側から見た平面図、（イ）は台紙を表側から見た平面図である。
【図３】図１の配送伝票について、（ア）は図１に示すＡ−Ａ線断面図、（イ）は図１に示すＢ−Ｂ線断面図である。
【図４】図１の配送伝票の使用方法を示す図で、（ア）は配送伝票から剥離片を剥がすとき、（イ）は配送伝票を貼り付けたとき、（ウ）は伝票部を切り離すとき、（エ）は帳票部を切り離すときの様子を示す説明図である。
【図５】実施例２の配送伝票の外観を示す図で、（ア）は配送伝票を表側から見た平面図、（イ）は配送伝票を裏側から見た平面図である。
【図６】図５の配送伝票について、（ア）は上紙を裏側から見た平面図、（イ）は台紙を表側から見た平面図である。
【図７】図５の配送伝票について、（ア）は図５に示すＡ−Ａ線断面図、（イ）は図５に示すＢ−Ｂ線断面図である。
【図８】図５の配送伝票の使用方法を示す図で、（ア）は配送伝票から剥離片を剥がすとき、（イ）は配送伝票を貼り付けたとき、（ウ）は伝票部を切り離すとき、（エ）は帳票部を切り離すときの様子を示す説明図である。
【符号の説明】
【００３８】
１、１−１  配送伝票
２  貼付票
３  伝票部
３−１  領収票
３−２  入金票
３−３  受領票
４  帳票部
５  剥離片
２０  上紙
２１  粘着剤
２３  ミシン目
２４  スリット
２５  コーナーカット
２７  剥離ニス
３０  台紙
３１  剥離剤
３３  ミシン目
３４  スリット
３７  接着剤
５０  ケース
【図１】
0003112423.tif 000003
【図２】
0003112423.tif 000004
【図３】
0003112423.tif 000005
【図４】
0003112423.tif 000006
【図５】
0003112423.tif 000007
【図６】
0003112423.tif 000008
【図７】
0003112423.tif 000009
【図８】
0003112423.tif 000010